(57)【要約】      （修正有）【課題】リスト画像に一覧表示された施設関連情報が順番に選択されたときに、地図画像が示す地図の領域が大きく変化することを抑制した表示システムおよび表示方法を提供する。【解決手段】表示システム１の車載装置２の表示制御部７は、施設検索後に表示されるリスト画像を、基準施設に関する施設関連情報が最上位に位置し、この基準施設が属する抽出範囲内に存在する抽出施設に関する施設関連情報が最上位の情報に連続した状態とする。そして表示制御部７は、地図画像が示す地図を基準施設および抽出施設の各位置を含む地図とし、リスト画像から基準施設および抽出施設の何れかに関する情報が選択されている間は地図の切り替えを行わないようにするか、または、所定の地図を表示し、リスト画像から何れかの情報が選択された場合、選択された情報に対応する施設の位置が中心部に配置された地図へと切り替える。【選択図】図１
2020201709.tif 000002
【特許請求の範囲】
【請求項１】
検索対象領域内に存在する施設を領域内施設として検索する施設検索部と、
前記施設検索部により検索された前記領域内施設のうち、前記領域内施設の中から所定方法で定められる基準施設が属する抽出範囲内に存在する施設を抽出施設として抽出する施設抽出部と、
前記施設検索部により検索された前記領域内施設に関する施設関連情報が一覧表示されたリスト画像を表示すると共に、地図を示す地図画像を表示する表示制御部とを備え、
前記表示制御部は、
前記リスト画像を、前記基準施設に関する施設関連情報が最上位に位置し、前記施設抽出部により抽出された前記抽出施設に関する施設関連情報が前記基準施設に関する施設関連情報に連続した状態とし、かつ、
前記地図画像が示す地図を前記基準施設および前記抽出施設の各位置を含む地図とした上で、前記リスト画像から前記基準施設および前記抽出施設の何れかに関する施設関連情報が選択されている間は前記地図画像が示す地図の切り替えを行わないようにするか、または、前記地図画像が示す地図を所定の地図とした上で、前記リスト画像から何れかの施設関連情報が選択された場合、前記地図画像が示す地図を、選択された施設関連情報に対応する前記領域内施設の位置が中心部に配置された地図へと切り替える
ことを特徴とする表示システム。
【請求項２】
前記抽出範囲のサイズは、前記地図画像が示す地図の領域のサイズに対応することを特徴とする請求項１に記載の表示システム。
【請求項３】
前記施設抽出部は、
前記基準施設に最も近い第１の領域内施設と前記基準施設との中間部を中心部とし、前記抽出範囲と同じサイズの第１範囲内にこれら２つの施設以外の前記領域内施設が存在するか否かを判定し、存在する場合は、前記第１の領域内施設以外で前記基準施設に最も近い第２の領域内施設と前記基準施設と前記第１の領域内施設との中間部を中心部とし、前記抽出範囲と同じサイズの第２範囲内にこれら３つの施設以外の前記領域内施設が存在するか否かを判定する
という処理を、第Ｎ範囲内に前記基準施設および第１〜第Ｎの領域内施設以外の前記領域内施設が存在しなくなるまで繰り返し実行し（ただし、Ｎは正の整数）、第Ｎ範囲を前記抽出範囲として前記第Ｎ範囲内に存在する第１〜第Ｎの領域内施設を前記抽出施設として抽出する
ことを特徴とする請求項１または２に記載の表示システム。
【請求項４】
前記施設抽出部は、前記基準施設を含む所定サイズの範囲であって、含まれる前記領域内施設の個数が最も多くなる範囲を前記抽出範囲として決定することを特徴とする請求項１または２に記載の表示システム。
【請求項５】
前記施設抽出部は、前記基準施設を中心とする所定サイズの範囲を前記抽出範囲として決定することを特徴とする請求項１または２に記載の表示システム。
【請求項６】
前記施設抽出部は、
前記リスト画像に一覧表示された施設関連情報のうち、前記基準施設および前記抽出施設以外の前記領域内施設に関する施設関連情報が選択された場合、選択された施設関連情報に対応する前記領域内施設を新たな基準施設として決定し、前記新たな基準施設が属する新たな抽出範囲内に存在する前記領域内施設を新たな抽出施設として抽出し、
前記表示制御部は、
前記リスト画像を、前記新たな基準施設に関する施設関連情報が最上位に位置し、前記施設抽出部により抽出された前記新たな抽出施設に関する施設関連情報が前記新たな基準施設に関する施設関連情報に連続した状態とし、かつ、
前記地図画像が示す地図を前記新たな基準施設および前記新たな抽出施設の各位置を含む地図とした上で、前記リスト画像から前記新たな基準施設および前記新たな抽出施設の何れかに関する施設関連情報が選択されている間は地図の切り替えを行わないようにするか、または、前記地図画像が示す地図を所定の地図とした上で、前記リスト画像から何れかの施設関連情報が選択された場合、前記地図画像が示す地図を、選択された施設関連情報に対応する前記領域内施設の位置が中心部に配置された地図へと切り替える
ことを特徴とする請求項１から５の何れか１項に記載の表示システム。
【請求項７】
表示システムの施設検索部が、検索対象領域内に存在する施設を領域内施設として検索する第１のステップと、
前記表示システムの施設抽出部が、前記施設検索部により検索された前記領域内施設のうち、前記領域内施設の中から所定方法で定められる基準施設が属する抽出範囲内に存在する施設を抽出施設として抽出する第２のステップと、
前記表示システムの表示制御部が、前記施設検索部により検索された前記領域内施設に関する施設関連情報が一覧表示されたリスト画像を表示すると共に、地図を示す地図画像を表示する第３のステップとを含み、
前記第３のステップにおいて、前記表示制御部は、
前記リスト画像を、前記基準施設に関する施設関連情報が最上位に位置し、前記施設抽出部により抽出された前記抽出施設に関する施設関連情報が前記基準施設に関する施設関連情報に連続した状態とし、かつ、
前記地図画像が示す地図を前記基準施設および前記抽出施設の各位置を含む地図とした上で、前記リスト画像から前記基準施設および前記抽出施設の何れかに関する施設関連情報が選択されている間は前記地図画像が示す地図の切り替えを行わないようにするか、または、前記地図画像が示す地図を所定の地図とした上で、前記リスト画像から何れかの施設関連情報が選択された場合、前記地図画像が示す地図を、選択された施設関連情報に対応する前記領域内施設の位置が中心部に配置された地図へと切り替える
ことを特徴とする表示方法。
【発明の詳細な説明】
【技術分野】
【０００１】
本発明は、表示システムおよび表示方法に関し、特に、検索された施設に関する施設関連情報を一覧表示する表示システムおよび表示方法に用いて好適なものである。
【背景技術】
【０００２】
従来、自車位置を中心とする領域や目的地を中心とする領域内に存在する施設を所定の条件に従って検索し、検索された施設の施設関連情報が一覧表示されたリスト画像を表示し、何れかの施設関連情報が選択された場合には、選択された施設関連情報に対応する施設が中心部に配置された地図を表示する表示システムが存在する。一般にリスト画像では、施設を検索する対象の領域の中心（例えば、自車位置を中心とする領域が施設を検索する対象となる場合は、自車位置）を基点として、この基点から近い順に各施設の施設関連情報が一覧表示される。例えば、特許文献１では、自車位置を基点として所定の検索範囲内に存在する施設が検索された上で、自車位置からの経路距離が短い順に各施設の施設関連情報（施設名称および経路距離）がリスト画像に一覧表示される（図５、６参照）。
【０００３】
なお、特許文献２には、目的地の周辺の駐車場を検索するシステムにおいて、車両が走行する道路に対して目的地と同じ側に車両を駐車する駐車場があった方が駐車場に車両を駐車させた後にユーザが容易に目的地へ行けることを考慮して、目的地と同じ側に位置する駐車場の検索結果を反対側に位置にする駐車場の検索結果よりも優先して一覧表示する技術が記載されている（図３参照）。
【先行技術文献】
【特許文献】
【０００４】
【特許文献１】特開２００６−２６６７５７号公報
【特許文献２】特開２０１１−１７４７５５号公報
【発明の概要】
【発明が解決しようとする課題】
【０００５】
上述した表示システムのように、リスト画像から何れかの施設関連情報が選択された場合に、選択された施設関連情報に対応する施設が中心部に配置された地図を表示するものでは以下のような課題があった。図１３および図１４の各図は、従来の課題を説明するため、リスト画像Ｘ１と地図を示す地図画像Ｘ２とが表示された画面の一例を示す図である。今、ある条件に従って施設の検索が行われ、施設Ａ、Ｂ、Ｃの３つの施設が見つかったとし、施設Ａ、Ｂ、Ｃの順番で自車位置に対して近い位置に存在するものとする（従って、施設Ａが自車位置から最も近く、施設Ｃが自車位置から最も遠い）。
【０００６】
この場合、従来の表示システムでは、まず、図１３（Ａ）に示すリスト画像Ｘ１および地図画像Ｘ２が表示される。図１３（Ａ）の地図画像Ｘ２は、マークＸＭにより示される自車位置が中心部に配置された地図であって、地図の領域内に存在する「検索により見つかった施設」の位置にマークが付加されたものである。図１３および図１４の各図において、マークＸＳＡは施設Ａの地図上の位置を示し、マークＸＳＢは施設Ｂの地図上の位置を示し、マークＸＳＣは施設Ｃの地図上の位置を示している。図１３（Ａ）に示すように、施設Ａと施設Ｃとは近接している。一方で施設Ａと施設Ｂとは、地図画像Ｘ２が示す地図を施設Ａの位置が中心部に配置された地図へと切り替えた場合に、切り替えた後の地図の領域内に施設Ｂの位置が含まれなくなる程度に大きく離間している。施設Ｂおよび施設Ｃも同様に大きく離間している。
【０００７】
また、図１３（Ａ）のリスト画像Ｘ１では最も近い施設Ａに関する施設関連情報ＸＡが最上位に配置され、その下位に施設Ｂ（施設Ａの次に自車位置から近い施設）に関する施設関連情報ＸＢが配置され、その下位に施設Ｃ（施設Ｂの次に自車位置から近い施設）に関する施設関連情報ＸＣが配置される。
【０００８】
ここで、選択可能な状態で情報が一覧表示されたリスト画像では、通常、情報の順番は無秩序に決定されるものではなく、何らかの優先順位（本例の場合は、自車位置からの近さ）により決定されるものであり、ユーザは、多くの場合においてリスト画像の最上位から下位に向かって情報を順番に選択していく。これを踏まえ、図１３（Ａ）の画面が表示されている状況でユーザが、最上位に配置された「施設Ａに関する施設関連情報ＸＡ」を選択したとする。すると、従来の表示システムでは、図１３（Ｂ）に示すように、地図画像Ｘ２が示す地図が、施設Ａの位置が中心部に配置された地図へと切り替わる。これは、選択された施設Ａの地図上の位置および施設Ａの周辺の状況をユーザが容易に把握できるようにするためである。
【０００９】
その後、図１３（Ｂ）の画面が表示されている状況でユーザが、リスト画像Ｘ１から施設Ｂに関する施設関連情報ＸＢを選択したとする。すると、従来の表示システムでは、図１４（Ａ）に示すように、地図画像Ｘ２が示す地図が、施設Ｂの位置が中心部に配置された地図へと切り替わる。更にその後、図１４（Ａ）の画面が表示されている状況でユーザが、施設Ｃに関する施設関連情報ＸＣを選択したとする。すると、従来の表示システムでは、図１４（Ｂ）に示すように、地図画像Ｘ２が示す地図が、施設Ｃの位置が中心部に配置された地図へと切り替わる。
【００１０】
以上のように図１３および図１４の例では、施設関連情報を最上位から下位に向かって順番に選択するという通常のユーザの操作が行われると、地図画像Ｘ２が図１３（Ａ）→図１３（Ｂ）→図１４（Ａ）→図１４（Ｂ）へと切り替わる。ここで、施設Ｂは自車位置からの距離が施設Ｃよりも近いため、リスト画像Ｘ１において施設Ａに関する施設関連情報の下位には施設Ｂに関する施設関連情報が配置されるものの、施設Ａと施設Ｂとは大きく離間している。このため、施設Ａに関する施設関連情報が選択された後に、この情報の下位に位置する施設Ｂに関する施設関連情報が選択されると、図１３（Ｂ）および図１４（Ａ）に示すように、地図画像Ｘ２が示す地図の領域が大きく変化することになる。この場合、施設関連情報の選択に応じて地図画像Ｘ２が切り替わる前後で、地図上で大きく離間した領域が表示されることになり、ユーザの認識の中で切り替え前の地図と切り替え後の地図との整合が取りにくく、ユーザが混乱する原因となり得る。同様に、施設Ｂと施設Ｃとは大きく離間しているため、施設Ｂに関する施設関連情報が選択された後に、この情報の下位に位置する施設Ｃに関する施設関連情報が選択されると、図１４（Ａ）および図１４（Ｂ）に示すように地図画像Ｘ２が示す地図の領域が大きく変化し、ユーザが混乱する原因となり得る。
【００１１】
このように従来の表示システムでは、ユーザがリスト画像に一覧表示された施設関連情報を順番に選択していった場合に地図画像が示す地図の領域が大きく変化してしまい、ユーザが混乱する原因となることがあった。
【００１２】
本発明は、このような問題を解決するために成されたものであり、リスト画像に一覧表示された施設関連情報が順番に選択されたときに、地図画像が示す地図の領域が大きく変化することを抑制することを目的とする。
【課題を解決するための手段】
【００１３】
上記した課題を解決するために、本発明では、検索対象領域内に存在する施設を領域内施設として検索し、領域内施設のうち、領域内施設の中から所定方法で定められる基準施設が属する抽出範囲内に存在する施設を抽出施設として抽出し、領域内施設に関する施設関連情報が一覧表示されたリスト画像を表示すると共に、地図を示す地図画像を表示する。そして本発明では、リスト画像を、基準施設に関する施設関連情報が最上位に位置し、施設抽出部により抽出された抽出施設に関する施設関連情報が基準施設に関する施設関連情報に連続した状態とする。更に本発明では、地図画像が示す地図を基準施設および抽出施設の各位置を含む地図とした上で、リスト画像から基準施設および抽出施設の何れかに関する施設関連情報が選択されている間は地図画像が示す地図の切り替えを行わないようにするか、または、地図画像が示す地図を所定の地図とした上で、リスト画像から何れかの施設関連情報が選択された場合、地図画像が示す地図を、選択された施設関連情報に対応する領域内施設の位置が中心部に配置された地図へと切り替える。
【発明の効果】
【００１４】
上記のように構成した本発明によれば、ユーザによりリスト画像の施設関連情報が最上位から順番に選択された際に、少なくとも抽出施設の施設関連情報が選択されている期間は、各抽出施設および基準施設の位置を含む地図が表示された状態が維持されつつ、地図の切り替えが行われないことなり、その期間は地図画像が示す地図の領域が変化しないようにすることができる。あるいは、ユーザによりリスト画像の施設関連情報が最上位から順番に選択された際に、少なくとも抽出施設の施設関連情報が選択されている間は、距離的に近い施設の施設関連情報が連続して選択されることになり、施設関連情報の選択に応じて地図画像が示す地図が切り替わったときに、切り替わりの前後で地図の領域が大きく変化することを抑制できる。
【図面の簡単な説明】
【００１５】
【図１】本発明の第１実施形態に係る表示システムの車載装置の機能構成例を示すブロック図である。
【図２】自車位置と領域内施設とが明示された地図の一例を示す図である。
【図３】自車位置と領域内施設とが明示された地図の一例を示す図である。
【図４】自車位置と領域内施設とが明示された地図の一例を示す図である。
【図５】検索結果画面の一例を示す図である。
【図６】本発明の第１実施形態に係る表示システムの車載装置の動作例を示すフローチャートである。
【図７】本発明の第１実施形態に係る表示システムの車載装置の動作例を示すフローチャートである。
【図８】本発明の第１実施形態に係る表示システムの車載装置の動作例を示すフローチャートである。
【図９】本発明の第２実施形態に係る表示システムの車載装置の機能構成例を示すブロック図である。
【図１０】検索結果画面の一例を示す図である。
【図１１】本発明の第２実施形態に係る表示システムの車載装置の動作例を示すフローチャートである。
【図１２】領域内施設が明示された地図の一例を示す図である。
【図１３】従来のリスト画像および地図画像の一例を示す図である。
【図１４】従来のリスト画像および地図画像の一例を示す図である。
【発明を実施するための形態】
【００１６】
＜第１実施形態＞
以下、本発明の第１実施形態を図面に基づいて説明する。図１は、本実施形態に係る表示システム１の車載装置２の機能構成例を示すブロック図である。車載装置２は、車両に搭載された、いわゆるカーナビゲーションであり、車両の現在位置（以下、「自車位置」という）を検出する機能や、車両に搭乗するユーザにより設定された目的地までの経路を探索し、案内する機能、所定の条件に従って施設を検索する機能等を有する。なお、車載装置２およびタッチパネル３は、車両に固定的に取り付けられた装置でなくてもよい。例えば、車載装置２およびタッチパネル３は、ユーザによって車内に持ち込まれた携帯端末であってもよい。以下、車載装置２が搭載された車両を「自車両」という。
【００１７】
図１に示すように、車載装置２にはタッチパネル３が接続されている。タッチパネル３は、自車両のダッシュボードやセンタコンソール等の運転手が視認可能な位置に設けられたディスプレイと、ディスプレイに重ねて配置され、ディスプレイの表示領域に対するタッチ操作を検出するタッチセンサとを備えている。
【００１８】
図１に示すように、車載装置２は、機能構成として自車位置検出部４、施設検索部５、施設抽出部６および表示制御部７を備えている。上記各機能ブロック４〜７は、ハードウェア、ＤＳＰ（Digital Signal Processor）、ソフトウェアの何れによっても構成することが可能である。例えばソフトウェアによって構成する場合、上記各機能ブロック４〜７は、実際にはコンピュータのＣＰＵ、ＲＡＭ、ＲＯＭなどを備えて構成され、ＲＡＭやＲＯＭ、ハードディスクまたは半導体メモリ等の記録媒体に記憶されたプログラムが動作することによって実現される。
【００１９】
図１に示すように、車載装置２は、記憶手段として記憶部８を備えている。記憶部８は、ハードディスクやＥＥＰＲＯＭ等の不揮発性の記憶媒体を有し、各種データを記憶する。記憶部８には少なくとも、地図データ９および施設データ１０が記憶されている。地図データ９は、地図の描画に用いられる描画用データを含んでいる。また、地図データ９は、誘導経路の探索に用いられる道路データを含んでいる。施設データ１０は、地図上に存在する各施設について、施設の名称を示す情報や、施設の地図上の位置を示す情報、施設のジャンルを示す情報、施設のブランドを示す情報、施設の表示に関する情報（アイコンデータ等）等の施設に関する情報を含んでいる。
【００２０】
自車位置検出部４は、ＧＰＳユニット、加速度センサ、ジャイロセンサおよび車速センサ等の各種センサ（いずれも不図示）の検出結果を入力し、これらの検出結果および記憶部８に記憶された地図データ９の道路データに基づいて自車位置を検出する。自車位置検出部４は、施設検索部５、施設抽出部６または表示制御部７から応答要求があったときに自車位置を示す情報を応答する。
【００２１】
施設検索部５は、検索対象領域内に存在する施設を領域内施設として検索する。以下、施設検索部５の処理について詳述する。
【００２２】
ここでユーザは、タッチパネル３をタッチ操作することによって任意のタイミングで車載装置２に施設の検索の開始を指示することができる。ユーザは、施設の検索の開始を指示する際、タッチパネル３を介して提供されるユーザインタフェイスに、検索条件を示す情報および施設を検索する対象とする領域の中心位置を示す情報を入力することによって、検索条件および施設を検索する対象とする領域を指定する。以下、施設を検索する対象とする領域を「検索対象領域」といい、検索対象領域の中心位置を「領域中心位置」という。なお、本実施形態では説明の明確化のためユーザが領域中心位置を示す情報を明示的に入力する構成としているが、当該情報は必ずしも明示的に入力される必要はない。例えば、施設検索において、デフォルトとして自車位置の周辺の検索（つまり領域中心位置が自車位置）が行われる場合には、当該情報が入力される必要はない。
【００２３】
検索条件は例えば、特定のジャンル（レストランやガソリンスタンド、コンビニエンスストア等）の施設であるという条件や、特定のブランドの施設であるという条件等である。また、領域中心位置は例えば自車位置であり、この場合、自車位置を中心とする所定半径の円に含まれる領域が検索対象領域となる。また例えば、領域中心位置は目的地であり、この場合、目的地を中心とする所定半径の円に含まれる領域が検索対象領域となる。このほか領域中心位置は、目的地に至るまでに経由する経由地や、ユーザにより指定された地図上の特定の位置であってもよい。
【００２４】
ユーザにより施設の検索の開始が指示されたことを検出すると、施設検索部５は、ユーザにより入力された検索条件を示す情報および領域中心位置を示す情報を取得し、検索条件と領域中心位置に基づいて一意に定まる検索対象領域とを認識する。次いで、施設検索部５は、検索対象領域内に存在し、検索条件を満たす施設を検索する。施設検索部５は、記憶部８に記憶された地図データ９および施設データ１０を適宜参照すると共に、必要に応じて自車位置検出部４に応答要求し自車位置を示す情報を取得して施設を検索する。施設の検索は、既存の技術によって適切に行われる。以下、施設検索部５により検索された施設を「領域内施設」という。
【００２５】
施設抽出部６は、施設検索部５により検索された領域内施設のうち、領域内施設の中から所定方法で定められる基準施設が属する抽出範囲内に存在する施設を抽出施設として抽出する。特に、本実施形態に係る施設抽出部６は、「基準施設に最も近い第１の領域内施設と基準施設との中間部を中心部とし、抽出範囲と同じサイズの第１範囲内にこれら２つの施設以外の領域内施設が存在するか否かを判定し、存在する場合は、第１の領域内施設以外で基準施設に最も近い第２の領域内施設と基準施設と第１の領域内施設との中間部を中心部とし、抽出範囲と同じサイズの第２範囲内にこれら３つの施設以外の領域内施設が存在するか否かを判定する」という処理を、第Ｎ範囲内に基準施設および第１〜第Ｎの領域内施設以外の領域内施設が存在しなくなるまで繰り返し実行し（ただし、Ｎは正の整数）、第Ｎ範囲を抽出範囲として第Ｎ範囲内に存在する第１〜第Ｎの領域内施設を抽出施設として抽出する。以下、施設抽出部６の処理について詳述する。
【００２６】
施設検索部５により領域内施設が検索された場合、施設抽出部６は、領域内施設の中から、予め定められた方法によって基準施設を決定する。本実施形態では、施設抽出部６は、領域中心位置から最も近い（＝領域中心位置からの直線距離が最も短い）領域内施設を基準施設とするという方法で領域内施設の中から基準施設を決定する。例えば領域中心位置が自車位置の場合、施設抽出部６は、自車位置から最も近い領域内施設を基準施設として決定し、また例えば領域中心位置が目的地の場合、施設抽出部６は、目的地から最も近い領域内施設を基準施設として決定する。ただし、基準施設を決定する方法は、領域中心位置からの距離に基づく方法だけに限られず、例えば領域中心位置からの行きやすさや、規模、駐車場の有無等が考慮された方法で基準施設が決定されてもよい。すなわち、後に明らかとなる通り、基準施設は、その施設関連情報がリスト画像Ｇ１Ｂの最上位に配置され、最も高い優先度でユーザに推奨されることになるため、何らかの観点でユーザにとって最も高い優先度で推奨することが適切である施設が基準施設として選定されるのであればどのような方法であってもよい。
【００２７】
次いで、施設抽出部６は、初期範囲内に基準施設以外の領域内施設が存在するか否かを判定する。初期範囲とは、基準施設を中心とする所定半径の円の内側の範囲であり、基準施設に近い位置に存在する領域内施設が存在するか否かを判定するための閾値として利用される。基準施設に近いとは、後述する検索結果画面Ｇ１（図５）の地図画像Ｇ１Ａが示す地図内で、基準施設と同時に表示可能な程度に基準施設の近くに位置していることを意味し、初期範囲に係る円の半径はこのことを考慮して定められる。本実施形態では、初期範囲に係る円の半径は、長方形の地図サイズ（後に詳述）の対角線の長さと同程度の長さとされる。従って、初期範囲内に基準施設以外の領域内施設が存在するということは、地図画像Ｇ１Ａが示す地図に基準施設と同時に表示可能な程度に基準施設と近接している領域内施設が少なくとも１つは存在するということである。
【００２８】
図２は、自車位置と複数の領域内施設の位置とが所定の関係にあるときの地図の一例である。図２において、符号Ｊ２の三角形のマークは自車位置を示し、また、図２において、符号Ｐ２Ａ〜Ｐ２Ｅの円形のマークはそれぞれ、領域内施設ＴＡ〜ＴＥの位置を示している。図２に描画した自車位置Ｊ１を中心とする複数の同心円により明らかな通り、領域内施設ＴＡ〜ＴＥは、領域内施設ＴＡ→領域内施設ＴＢ→領域内施設ＴＣ→領域内施設ＴＤ→領域内施設ＴＥの順番で自車位置Ｊ２からの位置が近い。従って図２の例では、施設抽出部６により領域内施設ＴＡが基準施設として決定される。また、図２において、符号Ｈ２は初期範囲を示している。以下、図２で例示した自車位置と施設内領域の位置との関係を「代表例位置関係」という。
【００２９】
図２で示すように、代表例位置関係の場合、初期範囲Ｈ２内に領域内施設ＴＡ、ＴＣ、ＴＤ、ＴＥが存在する。このため代表例位置関係の場合、施設抽出部６は、初期範囲Ｈ２内に基準施設（領域内施設ＴＡ）以外の領域内施設が存在すると判定する。仮に図２において、初期範囲Ｈ２内に領域内施設ＴＡ以外の領域内施設が存在しなかった場合、施設抽出部６は、初期範囲Ｈ２内に基準施設以外の領域内施設が存在しないと判定する。
【００３０】
初期範囲内に基準施設以外の領域内施設が存在しないと判定した場合、施設抽出部６により後述する施設抽出処理は実行されず、車載装置２は既存の処理を実行する。既存の処理の一例を簡単に説明すると、車載装置２は、施設検索の結果として、領域内施設のそれぞれに関する施設関連情報が領域中心位置からの距離が近い順に並べて配置されたリスト画像を表示すると共に、地図を示す地図画像を表示し、リスト画像から何れかの施設関連情報が選択された場合には、その選択された施設関連情報に対応する施設の位置が中心部に配置された地図を示す地図画像を表示する。
【００３１】
一方、初期範囲内に基準施設以外の領域内施設が存在すると判定した場合、施設抽出部６は、施設抽出処理を実行する。以下、施設抽出処理について詳述する。
【００３２】
施設抽出処理において、まず施設抽出部６は、基準施設に最も近い領域内施設（以下「第１の領域内施設」という）を特定する。図２で示す代表例位置関係では、施設内領域ＴＣが基準施設（領域内施設ＴＡ）に最も近い。従って施設抽出部６は、施設内領域ＴＣを第１の領域内施設として特定する。以下、領域内施設ＴＡを、当施設が基準施設であることを考慮して「基準施設ＴＡ」と表現する場合があり、領域内施設ＴＣを、当施設が第１の領域内施設であることを考慮して「第１領域内施設ＴＣ」と表現する場合がある。
【００３３】
次いで、施設抽出部６は、基準施設と第１の領域内施設との中間部を中心部とし、サイズが地図サイズである範囲を第１範囲として特定する。地図サイズとは以下を意味する。すなわち、後述するように、施設検索の結果が表示される検索結果画面Ｇ１は、リスト画像Ｇ１Ｂと地図を示す地図画像Ｇ１Ａとを含んで構成される（図５参照）。地図画像Ｇ１Ａが示す地図の領域のサイズは、縮尺に応じたサイズとなり、縮尺が変更されない限り変化しない。例えば、地図画像Ｇ１Ａが示す地図の領域のサイズは、南北１００メートル、東西２００メートルの長方形である。そして、本実施形態では、地図サイズは、地図画像Ｇ１Ａが示す地図の領域のサイズを意味している。
【００３４】
図３は、代表例位置関係の場合において、第１範囲を明示した図である。図３の例では、施設抽出部６は、基準施設ＴＡと第１領域内施設ＴＣの中間部Ｍ３を中心部とし、サイズが地図サイズである範囲Ｈ３を第１範囲として特定する。
【００３５】
次いで、施設抽出部６は、「基準施設および第１の領域内施設」以外の領域内施設が第１範囲内に存在するか否かを判定する。図３の例では、第１範囲Ｈ３内に基準施設ＴＡおよび第１領域内施設ＴＣのほか、第１領域内施設ＴＥが存在する。従って、施設抽出部６は、「基準施設および第１の領域内施設」以外の領域内施設が第１範囲内に存在すると判定する。なお、図２において仮に、「基準施設ＴＡおよび第１領域内施設ＴＣ」以外の領域内施設が第１範囲Ｈ３内に存在しなかった場合、施設抽出部６は、「基準施設および第１の領域内施設」以外の領域内施設が第１範囲内に存在しないと判定する。
【００３６】
「基準施設および第１の領域内施設」以外の領域内施設が第１範囲内に存在しないと判定した場合、施設抽出部６は、第１範囲を抽出範囲として決定し、第１範囲内に存在する領域内施設（ただし、基準施設を除く）を抽出施設として抽出する。抽出施設の抽出後、施設抽出部６は、施設抽出処理を終了する。
【００３７】
一方、「基準施設および第１の領域内施設」以外の領域内施設が第１範囲内に存在すると判定した場合、施設抽出部６は、第１の領域内施設以外で基準施設に最も近い領域内施設（以下「第２の領域内施設」という）を特定する。代表例位置関係の場合、第１領域内施設ＴＣ以外では、施設内領域ＴＥが基準施設（領域内施設ＴＡ）に最も近い。従って施設抽出部６は、施設内領域ＴＥを第２の領域内施設として特定する。以下、領域内施設ＴＥを、当施設が第２の領域内施設であることを考慮して「第２領域内施設ＴＥ」と表現する場合がある。
【００３８】
次いで、施設抽出部６は、基準施設と第１の領域内施設と第２の領域内施設との中間部を中心部とし、サイズが地図サイズである範囲を第２範囲として特定する。図４は、代表例位置関係の場合において、第２範囲を明示した図である。図４の例では、施設抽出部６は、基準施設ＴＡと第１領域内施設ＴＣと第２領域内施設ＴＥとの中間部Ｍ４を中心部とし、サイズが地図サイズである範囲Ｈ４を第２範囲として特定する。なお、３つ以上の施設の中間部の位置は、施設のそれぞれの位置を頂点とする多角形形状の重心等、各施設から中間部までの距離が大体同じとなるように所定の計算方法により定められる。
【００３９】
次いで、施設抽出部６は、「基準施設、第１の領域内施設および第２の領域内施設」以外の領域内施設が第２範囲内に存在するか否かを判定する。図４の例では、第２範囲Ｈ４内に「基準施設ＴＡ、第１領域内施設ＴＣおよび第２領域内施設ＴＥ」のほかに領域内施設が存在しない。従って、施設抽出部６は、「基準施設、第１の領域内施設および第２の領域内施設」以外の領域内施設が第２範囲内に存在しないと判定する。なお、図４において仮に、「基準施設、第１の領域内施設および第２の領域内施設」以外の領域内施設が第２範囲Ｈ４内に存在する場合、施設抽出部６は、「基準施設、第１の領域内施設および第２の領域内施設」以外の領域内施設が第２範囲内に存在すると判定する。
【００４０】
「基準施設、第１の領域内施設および第２の領域内施設」以外の領域内施設が第２範囲内に存在しないと判定した場合、施設抽出部６は、第２範囲を抽出範囲として決定し、第２範囲内に存在する領域内施設（ただし、基準施設を除く）を抽出施設として抽出する。代表例位置関係の場合、図４に示すように施設抽出部６は、第２範囲Ｈ４内に存在する第１領域内施設ＴＣおよび第２領域内施設ＴＥを抽出施設として抽出する。抽出施設の抽出後、施設抽出部６は、施設抽出処理を終了する。
【００４１】
一方、「基準施設、第１の領域内施設および第２の領域内施設」以外の領域内施設が第２範囲内に存在すると判定した場合、施設抽出部６は、「第１の領域内施設および第２の領域内施設」以外で基準施設に最も近い第３の領域内施設を特定し、基準施設、第１の領域内施設、第２の領域内施設および第３の領域内施設の中間部を中心とする第３範囲に、これら４つの施設以外の領域内施設が存在するか否かを判定する。
【００４２】
以上のように、施設抽出処理において施設抽出部６は、第Ｎ範囲内に「基準施設および第１〜第Ｎの領域内施設」以外の領域内施設が存在するか否かという判定を、存在しないと判定するまで繰り返し実行し（ただし、Ｎは正の整数）、存在しないと判定したときに第Ｎ範囲を抽出範囲として第Ｎ範囲内に存在する第１〜第Ｎの領域内施設を抽出施設として抽出する。そして、施設抽出部６は、抽出施設を抽出した後に施設抽出処理を終了する。
【００４３】
表示制御部７は、施設検索部５により検索された領域内施設に関する施設関連情報が一覧表示されたリスト画像Ｇ１Ｂを表示すると共に、地図を示す地図画像Ｇ１Ａを表示する。特に表示制御部７は、リスト画像Ｇ１Ｂを、基準施設に関する施設関連情報が最上位に位置し、施設抽出部により抽出された抽出施設に関する施設関連情報が基準施設に関する施設関連情報に連続した状態とする。更に表示制御部７は、地図画像Ｇ１Ａが示す地図を、基準施設および抽出施設の各位置を含む地図とした上で、リスト画像から基準施設および抽出施設の何れかに関する施設関連情報が選択されている間は地図画像が示す地図の切り替えを行わないようにする。以下、表示制御部７の処理について詳述する。
【００４４】
表示制御部７は、ユーザにより施設の検索の開始の指示に応じて施設検索部５および施設抽出部６により処理が実行された後、施設の検索の結果を示す画面として検索結果画面Ｇ１をタッチパネル３に表示する。図５は、検索結果画面Ｇ１の一例を示す図であり、特に図２〜図４で示した代表例位置関係の場合の検索結果が表示された検索結果画面Ｇ１を示している。図５に示すように、検索結果画面Ｇ１は、リスト画像Ｇ１Ｂと、地図画像Ｇ１Ａとを含んで構成される。リスト画像Ｇ１Ｂは、施設検索部５により検索された領域内施設のそれぞれについて施設関連情報が一覧表示される。なお、施設関連情報（正確には施設関連情報が記録されたタッチボタン）はタッチ操作可能によって選択可能であり、何れかの施設関連情報がタッチ操作された場合、表示制御部７は、そのことを検出する。
【００４５】
本実施形態では、施設関連情報は、対応する領域内施設の突合用符号と対応する領域内施設の名称とを含んで構成される。突合用符号とは、領域内施設のそれぞれに一意に付与される符号のことである。後述する地図画像Ｇ１Ａが示す地図では、領域内施設の位置のそれぞれに施設位置マークＴＭが付加されるが、各施設位置マークＴＭには、対応する領域内施設の突合用符号が記録され、これによりリスト画像Ｇ１Ｂに一覧表示された各施設関連情報と地図画像Ｇ１Ａの各施設位置マークＴＭとの対応関係が明示される。以下の説明では、説明の便宜のため、図２〜４で示す代表例位置関係を利用して説明をする場合において、領域内施設ＴＡ〜ＴＥには突合用符号としてＴＡ〜ＴＥが付与されているものとする。なお、表示制御部７は、施設関連情報を表示するために必要な情報を記憶部８に記憶された施設データ１０から適宜取得する。
【００４６】
表示制御部７は、リスト画像Ｇ１Ｂにおいて施設関連情報の順番を以下とする。すなわち、表示制御部７は、基準施設に関する施設関連情報をリスト画像Ｇ１Ｂの最上位に位置させる。その上で表示制御部７は、施設抽出部６により抽出された抽出施設に関する施設関連情報を、最上位の「基準施設に関する施設関連情報」に連続させる。抽出施設が複数存在する場合、表示制御部７は、基準施設に近い抽出施設に関する施設関連情報の方が、基準施設から遠い抽出施設よりもより上位に配置されるようにする。更に、表示制御部７は、抽出施設に関する施設関連情報よりも下位では、領域中心位置に近い領域内施設から順番に施設関連情報を配置する。
【００４７】
図２〜４で示す代表例位置関係では、基準施設は領域内施設ＴＡである。従って、図５に示すように表示制御部７は、リスト画像Ｇ１Ｂにおいて領域内施設ＴＡに関する施設関連情報を最上位に位置させる。また、代表例位置関係では領域内施設ＴＣおよび領域内施設ＴＥが抽出施設であり、領域内施設ＴＣの方が領域内施設ＴＥよりも基準施設（領域内施設ＴＡ）に近い。従って、図５に示すように表示制御部７は、リスト画像Ｇ１Ｂにおいて領域内施設ＴＡに関する施設関連情報の下位に領域内施設ＴＣに関する施設関連情報を位置させ、この情報の下位に領域内施設ＴＥに関する施設関連情報を位置させる。また、代表例位置関係では領域内施設ＴＢの方が領域内施設ＴＤよりも自車位置（領域中心位置）に近い。従って、図５に示すように表示制御部７は、リスト画像Ｇ１Ｂにおいて領域内施設ＴＥに関する施設関連情報の下位に領域内施設ＴＢに関する施設関連情報を位置させ、この情報の下位に領域内情報ＴＤに関する施設関連情報を位置させる。
【００４８】
つまり、代表例位置関係の場合、領域内施設ＴＡ→領域内施設ＴＣ→領域内施設ＴＥ→領域内施設ＴＢ→領域内施設ＴＤの順番で上位から下位に向かってリスト画像Ｇ１Ｂに施設関連情報が配置される。
【００４９】
また、表示制御部７は、以下の態様の地図画像Ｇ１Ａを表示する。すなわち、表示制御部７は、抽出範囲（図４の例では、符号Ｈ４の範囲）に属する領域の地図を示す地図画像Ｇ１Ａを表示する。上述したように、抽出範囲には基準施設の位置と全ての抽出施設の位置とが含まれている。従って、地図画像Ｇ１Ａが示す地図には、基準施設および抽出施設の各位置が含まれている。つまり、表示制御部７は、基準施設および抽出施設の各位置を含む地図を示す地図画像Ｇ１Ａを表示する。図４は、代表例位置関係の場合において抽出範囲Ｈ４が明示された図であるが、図４と図５との比較で明らかな通り、図５の地図画像Ｇ１Ａの地図は、図４の抽出範囲Ｈ４に属する領域の地図となっており、その領域内に領域内施設ＴＡ、領域内施設ＴＣおよび領域内施設ＴＥ３つの施設の位置が含まれている。
【００５０】
なお、表示制御部７は、地図画像Ｇ１Ａが示す地図に領域内施設が含まれている場合は、各施設の位置に施設位置マークＴＭを付加する（図５参照）。表示制御部７は、施設位置マークＴＭのそれぞれに、突合用符号を記録する。また、表示制御部７は、ユーザにより何れかの領域内施設の施設関連情報が選択された場合、選択された情報に対応する領域内施設の施設位置マークＴＭの形状を変化させたり、色を変化させたり、施設位置マークＴＭを強調するような画像や情報を付加したりすることによって、施設位置マークＴＭが目立つようにする。
【００５１】
以上のように、最上位に基準施設に関する施設関連情報が配置され、この情報に連続して全ての抽出施設に関する施設関連情報が配置されたリスト画像Ｇ１Ｂ、および、基準施設および全ての抽出施設の位置が含まれた状態の地図を示す地図画像Ｇ１Ａを表示した後、表示制御部７は、ユーザの指示に応じて以下の処理を実行する。
【００５２】
すなわち、表示制御部７は、リスト画像Ｇ１Ｂから基準施設および抽出施設の何れかに関する施設関連情報が選択されている間は地図画像Ｇ１Ａが示す地図の切り替えを行わない。従って、例えば図５で例示する検索結果画面Ｇ１が表示されている場合、表示制御部７は、リスト画像Ｇ１Ｂの最上位、第２位および第３位に配置された領域内施設ＴＡ、領域内施設ＴＣおよび領域内施設ＴＥの施設関連情報が、他の施設に関する施設関連情報が選択されることなく連続して選択されている間は、地図の切り替えを行うことなく、領域内施設ＴＡ、領域内施設ＴＣおよび領域内施設ＴＥの位置を含む地図を示す地図画像Ｇ１Ａを継続して表示する。
【００５３】
一方、表示制御部７は、「基準施設および抽出施設」以外の領域内施設に関する施設関連情報が１回目に選択されると、地図画像Ｇ１Ａが示す地図を、選択された情報に対応する領域内施設の位置が中心部に配置された地図へと切り替える。例えば、図５で例示する検索結果画面Ｇ１が表示されている場合において、リスト画像Ｇ１Ｂの第４位に配置された領域内施設ＴＢに関する施設関連情報が選択された場合、表示制御部７は、領域内施設ＴＢの位置が中心部に配置された地図へと切り替える。
【００５４】
その後は、表示制御部７は、リスト画像Ｇ１Ｂから施設関連情報が選択される度に、選択された施設関連情報に対応する領域内施設が中央部に配置された地図への切り替えを実行する。ただし、表示制御部７は、この処理に代えて、基準施設または抽出施設の何れかが選択された場合、再び基準施設および全ての抽出施設の位置を含む地図へと切り替える処理を実行してもよい。
【００５５】
本実施形態によれば、表示制御部７により以上の態様で検索結果画面Ｇ１が表示されると共に、ユーザの指示に応じて表示制御部７により以上の態様で処理が行われるため、以下の効果を奏する。すなわち、ユーザは、検索結果画面Ｇ１が表示された後、リスト画像Ｇ１Ｂの最上位から下位に向かって順番に施設関連情報を選択していくものと想定される。通常、リスト画像Ｇ１Ｂでは、無秩序に施設関連情報が並べられるのではなく、ユーザの満足度や快適性を考慮した何らかのルールに従って施設関連情報が並べられるはずであり、多くのユーザはそのことを認識しているからである。
【００５６】
そして、本実施形態では、ユーザによりリスト画像Ｇ１Ｂの施設関連情報が最上位から順番に選択された際に、少なくとも抽出施設の施設関連情報が選択されている間は、各抽出施設および基準施設の位置を含む地図が表示された状態が維持されつつ、地図の切り替えが行われない。例えば、図５の検索結果画面Ｇ１が表示されている場合において、最上位の領域内施設ＴＡ、その下位の領域内施設ＴＣ、更にその下位の領域内施設ＴＥに関する施設関連情報が最上位から下位に向かって順番に選択された場合、その期間は地図の切り替わりが行われることなく領域内施設ＴＡ、ＴＣ、ＴＥの各施設を含む地図が継続して表示される。このため少なくともこの期間は、地図画像Ｇ１Ａが示す地図の領域が変化しないようにすることができる。これにより、施設関連情報を選択する度に地図の領域が大きく変化することを抑制でき、ユーザの混乱を緩和することができる。なお、施設関連情報を選択する度に地図の領域が大きく変化した場合、ユーザは、自身の認識の中で切り替え前の地図と切り替え後の地図との整合が取れず混乱する場合がある。
【００５７】
ここで、上述のしたように本実施形態では、施設抽出部６は、抽出範囲を固定的な範囲（例えば、基準施設を中心とする地図サイズの範囲）とするのではなく、上述した方法に従って抽出範囲の候補となる範囲を徐々にずらしていき、最終的な抽出範囲内に含まれる領域内施設の個数が多くなる可能性が高くなるようにしている。そして、抽出される抽出施設の個数がより多くなることによって、検索結果に応じて検索結果画面Ｇ１が表示されたときに、リスト画像Ｇ１Ｂにおいて、より多くの抽出施設に関する施設関連情報が、基準施設に関する施設関連情報に連続して配置されることになる。これにより、ユーザが最上位から下位に向かって施設関連情報を順番に選択していった場合に、地図画面が切り替わらない期間をできるだけ長くすることができ、地図画像Ｇ１Ａが示す地図の領域ができるだけ変化しないようにするという効果、および、ユーザの混乱を緩和するという効果をより効果的に奏することができる。
【００５８】
次に、本実施形態に係る表示システム１の車載装置２の動作についてフローチャートを用いて説明する。図６のフローチャートＦＡは、ユーザが施設検索を指示した後の車載装置２の動作例を示すフローチャートである。
【００５９】
ユーザは、検索条件を示す情報および施設を検索する対象とする領域の中心位置を示す情報の入力と共に、施設の検索の開始を指示する（ステップＳＵ１）。当該指示を検出すると、施設検索部５は、ユーザにより入力された検索条件を示す情報および領域中心位置を示す情報を取得し、検索条件および中心位置に基づいて一意に定まる検索対象領域を認識する（ステップＳＡ１）。次いで、施設検索部５は、検索対象領域内に存在し、検索条件を満たす領域内施設を検索する（ステップＳＡ２）。
【００６０】
施設検索部５によって領域内施設が検索されると、施設抽出部６は、領域内施設の中から基準施設を決定する（ステップＳＡ３）。次いで、施設抽出部６は、初期範囲内に基準施設以外の領域内施設が存在するか否かを判定する（ステップＳＡ４）。初期範囲内に基準施設以外の領域内施設が存在しない場合（ステップＳＡ４：ＮＯ）、車載装置２は既存の処理を実行する（ステップＳＡ５）。ステップＳＡ５の処理後、フローチャートＦＡの処理は終了する。初期範囲内に基準施設以外の領域内施設が存在する場合（ステップＳＡ４：ＹＥＳ）、施設抽出部６は、施設抽出処理を実行する（ステップＳＡ６）。
【００６１】
図７のフローチャートＦＢは、施設抽出処理の詳細を示すフローチャートである。図７に示すように施設抽出処理において、まず施設抽出部６は、変数ｉに「１」を代入する（ステップＳＢ１）。変数ｉは、処理が行われた回数を管理するための整数型の値が格納される変数を概念的に表すものである。次いで、施設抽出部６は、第ｉの領域内施設として特定する（ステップＳＢ２）。第ｉの領域内施設の特定方法は、第１〜第３の領域内施設の特定方法を例として上述した通りである。
【００６２】
次いで、施設抽出部６は、基準施設と第１〜第ｉの領域内施設のそれぞれ（ただし変数ｉが「１」のときは第１の領域内施設）との中間部を中心部とし、サイズが地図サイズである範囲を第ｉ範囲として特定する（ステップＳＢ３）。次いで、施設抽出部６は、「基準施設および第１〜第ｉの領域内施設」以外の領域内施設が第ｉ範囲内に存在するか否かを判定する（ステップＳＢ４）。
【００６３】
存在する場合（ステップＳＢ４：ＹＥＳ）、施設抽出部６は、変数ｉをインクリメントし（ステップＳＢ５）、処理手順をステップＳＢ２へ戻す。存在しない場合（ステップＳＢ４：ＮＯ）、施設抽出部６は、第ｉ範囲を抽出範囲として決定し（ステップＳＢ６）、第ｉ範囲内に存在する領域内施設（ただし、基準施設を除く）を抽出施設として抽出する（ステップＳＢ７）。ステップＳＢ７の処理後、施設抽出処理は終了する。
【００６４】
さて図６のフローチャートＦＡに戻り、ステップＳＡ６において施設抽出部６が施設抽出処理を実行した後、表示制御部７は、リスト画像Ｇ１Ｂおよび地図画像Ｇ１Ａを含む検索結果画面Ｇ１をタッチパネル３に表示する（ステップＳＡ７）。リスト画像Ｇ１Ｂに関し、表示制御部７は、基準施設に関する施設関連情報をリスト画像Ｇ１Ｂの最上位に位置させ、抽出施設に関する施設関連情報を最上位の情報に連続させる。更に地図画像Ｇ１Ａに関し、表示制御部７は、基準施設および抽出施設の各位置を含む地図を示す地図画像Ｇ１Ａを表示する。
【００６５】
図８のフローチャートＦＣは、検索結果画面Ｇ１を表示した後の車載装置２の動作を示すフローチャートである。図８に示すように、表示制御部７は、検索結果画面Ｇ１の表示の終了が指示されたか否かを監視しつつ（ステップＳＣ１）、何れかの施設関連情報が選択されたか否かを監視する（ステップＳＣ２）。検索結果画面Ｇ１の表示の終了が指示された場合（ステップＳＣ１：ＹＥＳ）、フローチャートＦＣの処理は終了する。
【００６６】
何れかの施設関連情報が選択された場合（ステップＳＣ２：ＹＥＳ）、表示制御部７は、選択された施設関連情報に対応する領域内施設が基準施設または抽出施設であるか否かを判定する（ステップＳＣ３）。基準施設または抽出施設である場合（ステップＳＣ３：ＹＥＳ）、表示制御部７は、地図画像Ｇ１Ａが示す地図の切り替えを行うことなく（ステップＳＣ４）、処理手順をステップＳＣ１へ戻す。一方、「基準施設または抽出施設」ではない場合（基準施設でもなく抽出施設でもない場合）（ステップＳＣ３：ＮＯ）、表示制御部７は、選択された施設関連情報に対応する領域内施設が中央部に配置された地図に切り替える（ステップＳＣ５）。
【００６７】
その後、表示制御部７は、検索結果画面Ｇ１の表示の終了が指示されたか否かを監視しつつ（ステップＳＣ６）、何れかの施設関連情報が選択されたか否かを監視する（ステップＳＣ７）。検索結果画面Ｇ１の表示の終了が指示された場合（ステップＳＣ６：ＹＥＳ）、フローチャートＦＣの処理は終了する。一方、何れかの施設関連情報が選択された場合、表示制御部７は、選択された施設関連情報に対応する領域内施設が中央部に配置された地図に切り替え（ステップＳＣ８）、処理手順をステップＳＣ６へ移行する。
【００６８】
＜第１実施形態の変形例＞
次に第１実施形態の変形例について説明する。第１実施形態では、検索結果画面Ｇ１が表示された後にリスト画像Ｇ１Ｂの「基準施設および抽出施設」以外の領域内施設に関する施設関連情報が選択された場合、地図画像Ｇ１Ａが示す地図が、選択された情報に対応する施設が中央部に配置された地図へと切り替えられていた。この点に関し、車載装置２が以下の処理を実行する構成としてもよい。
【００６９】
すなわち、リスト画像Ｇ１Ｂの「基準施設および抽出施設」以外の領域内施設に関する施設関連情報が１回目に選択された場合、施設抽出部６は、選択された施設関連情報に対応する領域内施設を新たな基準施設として決定する。次いで、施設抽出部６は、初期範囲内に新たな基準施設以外の領域内施設が存在する場合には、第１実施形態で説明した施設抽出処理を実行して、新たな基準施設が属する新たな抽出範囲内に存在する領域内施設を新たな抽出施設として抽出する。
【００７０】
次いで表示制御部７は、リスト画像Ｇ１Ｂを、新たな基準施設に関する施設関連情報が最上位に位置し、施設抽出部６により抽出された新たな抽出施設に関する施設関連情報が新たな基準施設に関する施設関連情報に連続した状態とする。更に表示制御部７は、地図画像Ｇ１Ａが示す地図を新たな基準施設および新たな抽出施設の各位置を含む地図とした上で、リスト画像Ｇ１Ｂから新たな基準施設および新たな抽出施設の何れかに関する施設関連情報が選択されている間は地図の切り替えを行わないようにする。
【００７１】
本変形例によれば、以下の効果を奏する。すなわち、リスト画像Ｇ１Ｂから「基準施設および抽出施設」以外の領域内施設に関する施設関連情報が選択された場合、リスト画像Ｇ１Ｂが以下の状態となる。すなわち、選択された施設関連情報が最上位に配置され、更に新たな抽出施設に関する施設関連情報が最上位の情報に連続した状態となる。そして、新たな抽出施設に関する施設関連情報が選択されている期間は、新たな基準施設および新たな抽出施設の位置を含む地図が表示されたまま、地図の切り替えが行われない。このため、リスト画像Ｇ１Ｂから「基準施設および抽出施設」以外の領域内施設に関する施設関連情報が選択された後、ユーザが最上位から下位へ向かって情報を選択するという自然な操作を行った場合に、しばらくは地図の切り替えが行われず、ユーザの混乱を抑制できる。
【００７２】
＜第２実施形態＞
次に、第２実施形態について説明する。図９は第２実施形態に係る表示システム１Ａの車載装置２Ａの機能構成例を示すブロック図である。図９に示すように、本実施形態に係る車載装置２Ａは、第１実施形態に係る表示制御部７に代えて、表示制御部７Ａを備えている。表示制御部７Ａは、施設検索部５により領域内施設が検索された後、検索結果画面Ｇ１を表示する際に上記実施形態で説明した処理に代えて以下の処理を実行する。
【００７３】
すなわち、表示制御部７Ａは、リスト画像Ｇ１Ｂについては上記実施形態と同様の態様で表示する。一方、地図画像Ｇ１Ａに関しては、表示制御部７Ａは、予め定められたルールに従って地図画像Ｇ１Ａが示す地図を表示する。ルールは何でもよく、例えば、第１実施形態のように基準施設および全ての抽出施設の位置が含まれる地図であってもよく、また例えば、図１３（Ａ）で例示したように領域中心位置が中心部に配置された地図でもよく、また例えば、基準施設が中心部に配置された地図でもよい。
【００７４】
そして、表示制御部７Ａは、リスト画像Ｇ１Ｂから何れかの施設関連情報が選択された場合、地図画像Ｇ１Ａが示す地図を、選択された施設関連情報に対応する領域内施設の位置が中心部に配置された地図へと切り替える。例えば、図５の検索結果画面Ｇ１が表示されている状況で、ユーザがリスト画像Ｇ１Ｂの最上位の領域内施設ＴＡ（基準施設）に関する施設関連情報を選択したとする。すると、表示制御部７Ａは、図１０（Ａ）に示すように、領域内施設ＴＡが中心部に配置された地図へと切り替える。次にユーザがリスト画像Ｇ１Ｂの第２位の領域内施設ＴＣ（抽出施設）に関する施設関連情報を選択すると、表示制御部７Ａは、図１０（Ｂ）に示すように、領域内施設ＴＣが中心部に配置された地図へと切り替える。
【００７５】
次にユーザがリスト画像Ｇ１Ｂの第３位の領域内施設ＴＥ（抽出施設）に関する施設関連情報を選択すると、表示制御部７Ａは、図１０（Ｃ）に示すように、領域内施設ＴＥが中心部に配置された地図へと切り替える。次にユーザがリスト画像Ｇ１Ｂの第４位の領域内施設ＴＢ（基準施設でも抽出施設でもない施設）に関する施設関連情報を選択すると、表示制御部７Ａは、図１０（Ｄ）に示すように、領域内施設ＴＢが中心部に配置された地図へと切り替える。
【００７６】
この第２実施形態によれば、以下の効果を奏する。すなわち、ユーザによりリスト画像Ｇ１Ｂの施設関連情報が最上位から順番に選択された際に少なくとも抽出施設の施設関連情報が選択されている間は、距離的に近い施設の施設関連情報が連続して選択されることになる。なお、基準施設および抽出施設は何れも抽出範囲内に存在する施設であり、これらは相互に近い位置に存在しているということが言える。このため、図１０（Ａ）〜（Ｄ）で例示したように、ユーザによる施設関連情報の選択に応じて地図画像が示す地図が切り替わったときに、切り替わりの前後で地図の領域が大きく変化することを抑制でき、これによりユーザが混乱するのを緩和することができる。
【００７７】
なお、第２実施形態では、ユーザによりリスト画像Ｇ１Ｂの施設関連情報が最上位から順番に選択された場合において、抽出施設の施設関連情報が選択されている期間であっても、当該情報が選択される度に地図画像Ｇ１Ａが示す地図の領域が少しずつ変動することになる。ただし、本実施形態では、ユーザにより施設関連情報が選択されたときに、選択された情報に対応する施設が中心部に配置された地図が表示されるため、ユーザは切り替わった後の地図を参照することによって、自身が選択した情報に対応する施設の周辺の状況をより簡易に把握することができる。
【００７８】
次に、本実施形態に係る表示システム１Ａの車載装置２Ａの動作例についてフローチャートを用いて説明する。図１１のフローチャートＦＤは、検索結果画面Ｇ１を表示した後の車載装置２Ａの動作例を示すフローチャートである。従って、以下の説明では、ユーザの施設検索の開始の指示に応じて検索結果画面Ｇ１が初めて表示された際に、地図画像Ｇ１Ａの地図は、図５で例示した地図となっている。ただし、上述したように、本実施形態では、地図画像Ｇ１Ａの初期画面は、例示した地図に限られない。
【００７９】
図１１に示すように、表示制御部７Ａは、検索結果画面Ｇ１の表示の終了が指示されたか否かを監視しつつ（ステップＳＤ１）、何れかの施設関連情報が選択されたか否かを監視する（ステップＳＤ２）。検索結果画面Ｇ１の表示の終了が指示された場合（ステップＳＤ１：ＹＥＳ）、フローチャートＦＤの処理は終了する。何れかの施設関連情報が選択された場合（ステップＳＤ２：ＹＥＳ）、選択された施設関連情報に対応する領域内施設が中央部に配置された地図に切り替え（ステップＳＤ３）、処理手順をステップＳＤ１へ移行する。
【００８０】
＜第２実施形態の変形例＞
次に第２実施形態の変形例について説明する。なお、第２実施形態の変形例は第１実施形態の変形例に対応しており、第１実施形態の変形例と基本的な処理は同じであるため、以下では簡単に説明する。
【００８１】
本変形例において、リスト画像Ｇ１Ｂの「基準施設および抽出施設」以外の領域内施設に関する施設関連情報が選択された場合、施設抽出部６は、選択された施設関連情報に対応する領域内施設を新たな基準施設として決定する。次いで、施設抽出部６は、初期範囲内に新たな基準施設以外の領域内施設が存在する場合には、第１実施形態で説明した施設抽出処理を実行して、新たな基準施設が属する新たな抽出範囲内に存在する領域内施設を新たな抽出施設として抽出する。
【００８２】
次いで表示制御部７Ａは、リスト画像Ｇ１Ｂを、新たな基準施設に関する施設関連情報が最上位に位置し、施設抽出部６により抽出された新たな抽出施設に関する施設関連情報が新たな基準施設に関する施設関連情報に連続した状態とする。また、表示制御部７Ａは、地図画像Ｇ１Ａが示す地図を新たな基準施設が中央部に配置された地図とし、その後、何れかの施設関連情報が選択された場合には選択された情報に対応する施設が中央に配置された地図へと切り替える。本変形例によれば、第１実施形態の変形例と同様の効果を奏することができる。
【００８３】
以上、第１、第２実施形態を説明したが、上記各実施形態は、本発明を実施するにあたっての具体化の一例を示したものに過ぎず、これによって本発明の技術的範囲が限定的に解釈されてはならないものである。すなわち、本発明はその要旨、またはその主要な特徴から逸脱することなく、様々な形で実施することができる。
【００８４】
例えば、施設抽出部６は、施設抽出処理に関して上記実施形態の処理に変えて以下の処理を実行してもよい。すなわち、施設抽出部６は、地図上で地図サイズの範囲を所定の方法で様々に移動させることによって、抽出範囲を、基準施設が属し、かつ、できるだけ多くの領域内施設が属するような範囲とする。例えば、地図上に図１２に示す態様で領域内施設ＱＡ〜ＱＧが存在していたとし、そのうち施設ＱＡが基準施設であるものとする。この場合、範囲Ｈ１２１よりも範囲Ｈ１２２の方が属する領域内施設の個数が多いため、施設抽出部６は、範囲Ｈ７１ではなく範囲Ｈ７２が最終的な抽出範囲となるようにする。
【００８５】
例えば、施設抽出部６は、領域内施設ＱＡを含むという条件を必須の条件として、サイズが地図サイズである範囲を地図上でスライドさせ、スライドさせていく中で、領域内施設を最も多く含むような範囲を抽出してとして決定する。また例えば、施設抽出部６は、領域内施設ＱＡと領域内施設ＱＢとが属する範囲であって含まれる他の施設が最も大きくなる範囲、領域内施設ＱＡと領域内施設ＱＣとが属する範囲であって含まれる他の施設が最も大きくなる範囲、領域内施設ＱＡと領域内施設ＱＤとが属する範囲であって含まれる他の施設が最も大きくなる範囲・・・というように、領域内施設ＱＡと他の１つの領域内施設との組み合わせ毎に、含まれる他の施設が最も大きくなるような範囲を確定していく。そして、確定した範囲のうち、含まれる領域内施設の個数が最も大きくなるような１つの範囲を抽出範囲として決定する。施設抽出部６が以上の処理を実行する構成でもよい。
【００８６】
また、抽出範囲の決定に際して、施設抽出部６が以下の処理を行う構成でもよい。すなわち、施設抽出部６が、基準施設を中心とし、サイズが地図サイズである範囲を抽出範囲として決定する構成でもよい。この構成の場合、例えば代表例位置関係では、図２の範囲ＨＸが抽出範囲として特定され、この抽出範囲ＨＸ内に存在する領域内施設ＴＣが抽出施設として抽出される。また、表示制御部７は、地図画像Ｇ１Ａに監視、抽出範囲ＨＸに属する領域の地図を示す地図画像Ｇ１Ａを表示する。この変形例の場合、抽出施設として抽出される施設の個数が、上記各実施形態よりも少なくなるケースが生じ得るものの、上記各実施形態と比較して処理が簡素であり、処理効率を向上できる。
【００８７】
また、上記各実施形態では、検索結果画面Ｇ１の一例を、図を用いて説明した。しかしながら、検索結果画面Ｇ１の態様は例示した画面に限られない。例えば、リスト画像Ｇ１Ｂや地図画像Ｇ１Ａ以外の画像が含まれるようにしてもよく、リスト画像Ｇ１Ｂや地図画像Ｇ１Ａが異なる例示した場所とは異なる場所に表示されていてもよい。特にリスト画像Ｇ１Ｂについて、最上位から下に向かって順番に施設関連情報が並んで配置された構成ではなく、最上位から下に向かう方向以外の方向（例えば、右方や左方、斜め右下へ向かう方向等）に向かって施設関連情報が並んで配置された構成でもよい。また、施設関連情報がリスト画像Ｇ１Ｂの最上位に表示されるというのは、その施設関連情報のリスト画像Ｇ１Ｂにおける位置が最も上であるという意味ではなく、一覧表示された施設関連情報の中で最も高い優先度で表示された状態であればよい。リスト画像Ｇ１Ｂについて施設関連情報がスクロール可能に表示されていてもよいことは勿論である。
【００８８】
また、上記各実施形態では、抽出範囲や、抽出範囲を決める過程で利用した第Ｎ範囲（以下「抽出範囲等」という）は、サイズが地図サイズである矩形の範囲であったが、抽出範囲等は、地図サイズに収まる態様の範囲であればそのサイズや形状は何でもよい。一例として、抽出範囲等は、地図サイズの短辺を直径とする円の内側の範囲であってもよく、地図サイズの長辺を長径とし、短辺を短径とする楕円の内側の範囲であってもよい。ただし、上記実施形態において、抽出範囲に属する地図が、地図画像Ｇ１Ａの地図として表示されることを考慮すると、上記実施形態においては抽出範囲等のサイズを地図サイズか、地図サイズよりも長辺および短辺が若干小さい矩形のサイズとするのが適切である。
【００８９】
また、上記各実施形態では、ユーザによる施設検索に関する入力（施設関連情報の選択を含む）がタッチパネル３に対するタッチ操作により行われる場合を例にしたが、入力の方法は何でもよく、例えば、音声入力やジェスチャ入力、機械ボタンの操作による入力であってもよい。
【００９０】
また、車載装置２、２Ａの機能ブロックが実行すると説明した処理の一部または全部を、車載装置２、２Ａと外部装置とが協働して、または、外部装置が単独で実行する構成としてもよい。この場合、車載装置２、２Ａと外部装置とが協働して表示システム１、１Ａとして機能する。一例として、車載装置２、２Ａの施設抽出部６の処理の一部または全部を、車載装置２、２Ａと、この車載装置２、２Ａとネットワークを介して通信可能なクラウドサーバとが協働して実行するようにしてもよく、また、クラウドサーバが単独で実行するようにしてもよい。
【００９１】
また、車載装置２、２Ａが記憶していると説明したデータの一部または全部を車載装置２以外の外部装置が記憶する構成でもよい。例えば、地図データ９の一部または全部がネットワークを介して接続されたクラウドサーバに記憶されており、車載装置２、２Ａが適宜クラウドサーバにアクセスし、必要な情報を得る構成でもよい。
【符号の説明】
【００９２】
１、１Ａ  表示システム
５  施設検索部
６  施設抽出部
７、７Ａ  表示制御部
【図１】
2020201709.tif 000003
【図２】
2020201709.tif 000004
【図３】
2020201709.tif 000005
【図４】
2020201709.tif 000006
【図５】
2020201709.tif 000007
【図６】
2020201709.tif 000008
【図７】
2020201709.tif 000009
【図８】
2020201709.tif 000010
【図９】
2020201709.tif 000011
【図１０】
2020201709.tif 000012
【図１１】
2020201709.tif 000013
【図１２】
2020201709.tif 000014
【図１３】
2020201709.tif 000015
【図１４】
2020201709.tif 000016